(57)【要約】【課題】用紙搬送装置内で生じたジャム用紙を装置の外側に容易に取り出す。【解決手段】駆動ローラＲ１側に固定設置された駆動ローラ側用紙搬送ガイド板７０と、駆動ローラ側用紙搬送ガイド板７０と対向して従動ローラＲ２側に設置されており、駆動ローラ側用紙搬送ガイド板７０の上流側に位置し且つ上流端側が用紙搬送方向と直交した軸８３Ｌ，８３Ｒに回動可能に軸支された第１分割ガイド板８１と、駆動ローラ側用紙搬送ガイド板７０の下流側に位置し且つ第１分割ガイド板８１の下流端側に軸８３Ｌ，８３Ｒと平行に設けられた移動軸８４に回動可能に軸支された第２分割ガイド板８２とが用紙幅方向に設定した分割線に沿って２分割され、第１，第２分割ガイド板８１，８２が移動軸８４を介して連結された状態で駆動ローラ側用紙搬送ガイド板７０に対して開閉可能な従動ローラ側用紙搬送ガイド板８０とを備えた用紙搬送装置６０を提供する。【選択図】図２
2015059036.tif 000002
【特許請求の範囲】
【請求項１】
用紙を用紙搬送路に沿って搬送する用紙搬送装置において、
前記用紙搬送路中に回転／停止可能に設置され、停止中に前記用紙の搬送方向の先端部を突き当てて撓みを形成することで前記用紙の斜行を補正し、斜行補正後に回転するレジストローラ対と、
前記レジストローラ対よりも用紙搬送方向の上流側の用紙搬送路に沿って駆動ローラと従動ローラとを対にして設置され、両ローラ間で前記用紙を前記レジストローラ対に向けて挟持搬送する用紙搬送ローラ対と、
前記レジストローラ対よりも上流側の前記駆動ローラ側に設置された駆動ローラ側用紙搬送ガイド板と、
前記駆動ローラ側用紙搬送ガイド板と対向して前記従動ローラ側に設置されており、前記駆動ローラ側用紙搬送ガイド板の上流側に位置し且つ上流端側が用紙搬送方向と直交した軸に回動可能に軸支された第１分割ガイド板と、
前記駆動ローラ側用紙搬送ガイド板の下流側に位置し且つ前記第１分割ガイド板の下流端側に前記軸と平行に設けられて該第１分割ガイド板の回動に伴って一体に移動する移動軸に回動可能に軸支された第２分割ガイド板と、
が用紙幅方向に設定した分割線に沿って２分割され、前記第１，第２分割ガイド板が前記移動軸を介して連結された状態で前記駆動ローラ側用紙搬送ガイド板に対して開閉可能な従動ローラ側用紙搬送ガイド板と、
前記従動ローラ側用紙搬送ガイド板の前記第２分割ガイドを閉じ方向に付勢する付勢部材と、を備え、
前記従動ローラ側用紙搬送ガイド板は、前記第１，第２分割ガイド板が閉じ状態のときに、前記用紙の搬送をガイドするも、前記第２分割ガイド板が前記付勢部材の付勢力に応じて前記レジストローラ対で前記撓みを形成できる方向に前記移動軸を中心に回動し、
一方、前記第１，第２分割ガイド板を開いたときに、前記第１，第２分割ガイド板が前記駆動ローラ側用紙搬送ガイド板から離間する方向に略逆く字状に屈曲することを特徴とする用紙搬送装置。
【発明の詳細な説明】
【技術分野】
【０００１】
本発明は、用紙を用紙搬送路に沿って搬送する用紙搬送装置に係り、用紙搬送路中に回転/停止可能に設けられて用紙の斜行を補正するレジストローラ対よりも用紙搬送方向の上流側に用紙搬送ガイド板を設置した用紙搬送装置に関する。
【背景技術】
【０００２】
一般的に、用紙を用紙搬送路に沿って搬送する用紙搬送装置は、用紙に画像や文字を印刷する印刷装置や、用紙に画像や文字を複写する複写機などの画像形成装置に適用されている。
【０００３】
この種の用紙搬送装置において、用紙を用紙搬送路に沿って搬送する際に、用紙搬送路中で用紙ジャムが発生する場合があり、この場合に用紙搬送路中からジャム用紙を除去できる画像形成装置がある（例えば、特許文献１参照）。
【０００４】
上記した特許文献１に開示された画像形成装置における給紙装置では、ここでの図示を省略するものの、２枚の案内板の間を通過する用紙がジャムしたときに、一方の案内板を枢支軸を中心にして、対峙する固定案内板から離反回動させることにより、ジャム用紙を除去できる旨が記載されている。
【先行技術文献】
【特許文献】
【０００５】
【特許文献１】特開平８−３０１４８７号公報
【発明の概要】
【発明が解決しようとする課題】
【０００６】
ところで、特許文献１に記載の画像形成装置における給紙装置では、固定案内板と対峙する案内板をこの固定案内板から離反回動させているが、ジャム用紙の除去時に可動側の案内板を人手が挿入できる程度に大きく回動させた場合に、可動側の案内板が周囲の部品に接触して周囲の部品を破損させてしまう危険性が生じるので問題である。
【０００７】
更に、一般的な画像形成装置内の用紙搬送路中には、用紙の斜行を補正するレジストローラ対が回転／停止可能に設置されており、このレジストローラ対は、停止中に用紙の搬送方向の先端部を突き当てて撓みを形成することで用紙の斜行を補正し、斜行補正後に回転して用紙を下流側に搬送する機能を有している。
【０００８】
そこで、ジャム用紙を除去可能な用紙搬送装置をレジストローラ対よりも用紙搬送方向の上流側に設置するにあたって、レジストローラ対よりも用紙搬送方向の上流側の用紙搬送路中で用紙ジャムが生じた場合に、固定側の用紙搬送ガイド板に対して可動側の用紙搬送ガイド板を回動させたときに、ジャム用紙を除去するために人手を挿入できるスペースを十分確保でき、且つ、用紙搬送ガイド板の回動時に周囲の部品に対して悪影響を及ぼさず、更に、レジストローラ対に対して良好な撓みを形成することができる用紙搬送装置を提供することを目的とする。
【課題を解決するための手段】
【０００９】
本発明は上記課題に鑑みてなされたものであり、請求項１記載の発明は、用紙を用紙搬送路に沿って搬送する用紙搬送装置において、
前記用紙搬送路中に回転／停止可能に設置され、停止中に前記用紙の搬送方向の先端部を突き当てて撓みを形成することで前記用紙の斜行を補正し、斜行補正後に回転するレジストローラ対と、
前記レジストローラ対よりも用紙搬送方向の上流側の用紙搬送路に沿って駆動ローラと従動ローラとを対にして設置され、両ローラ間で前記用紙を前記レジストローラ対に向けて挟持搬送する用紙搬送ローラ対と、
前記レジストローラ対よりも上流側の前記駆動ローラ側に設置された駆動ローラ側用紙搬送ガイド板と、
前記駆動ローラ側用紙搬送ガイド板と対向して前記従動ローラ側に設置されており、前記駆動ローラ側用紙搬送ガイド板の上流側に位置し且つ上流端側が用紙搬送方向と直交した軸に回動可能に軸支された第１分割ガイド板と、
前記駆動ローラ側用紙搬送ガイド板の下流側に位置し且つ前記第１分割ガイド板の下流端側に前記軸と平行に設けられて該第１分割ガイド板の回動に伴って一体に移動する移動軸に回動可能に軸支された第２分割ガイド板と、
が用紙幅方向に設定した分割線に沿って２分割され、前記第１，第２分割ガイド板が前記移動軸を介して連結された状態で前記駆動ローラ側用紙搬送ガイド板に対して開閉可能な従動ローラ側用紙搬送ガイド板と、
前記従動ローラ側用紙搬送ガイド板の前記第２分割ガイドを閉じ方向に付勢する付勢部材と、を備え、
前記従動ローラ側用紙搬送ガイド板は、前記第１，第２分割ガイド板が閉じ状態のときに、前記用紙の搬送をガイドするも、前記第２分割ガイド板が前記付勢部材の付勢力に応じて前記レジストローラ対で前記撓みを形成できる方向に前記移動軸を中心に回動し、
一方、前記第１，第２分割ガイド板を開いたときに、前記第１，第２分割ガイド板が前記駆動ローラ側用紙搬送ガイド板から離間する方向に略逆く字状に屈曲することを特徴とする用紙搬送装置である。
【発明の効果】
【００１０】
請求項１記載の用紙搬送装置によれば、駆動ローラ側に設置された駆動ローラ側用紙搬送ガイド板と、駆動ローラ側用紙搬送ガイド板と対向して従動ローラ側に設置されており、駆動ローラ側用紙搬送ガイド板の上流側に位置し且つ上流端側が用紙搬送方向と直交した軸に回動可能に軸支された第１分割ガイド板と、駆動ローラ側用紙搬送ガイド板の下流側に位置し且つ第１分割ガイド板の下流端側に軸と平行に設けられた移動軸に回動可能に軸支された第２分割ガイド板とが用紙搬送方向に設定した分割線に沿って２分割され、第１，第２分割ガイド板が移動軸を介して連結された状態で駆動ローラ側用紙搬送ガイド板に対して開閉可能な従動ローラ側用紙搬送ガイド板と、従動ローラ側用紙搬送ガイド板の第２分割ガイドを閉じ方向に付勢する付勢部材と、を備え、従動ローラ側用紙搬送ガイド板は、第１，第２分割ガイド板が閉じ状態のときに、用紙の搬送をガイドするも、第２分割ガイド板が付勢部材の付勢力に応じてレジストローラ対で撓みを形成できる方向に移動軸を中心に回動し、一方、第１，第２分割ガイド板を開いたときに、第１，第２分割ガイド板が駆動ローラ側用紙搬送ガイド板から離間する方向に略逆く字状に屈曲している。
【００１１】
この結果、従動ローラ側用紙搬送ガイド板の第１，第２分割ガイド板が閉じていて、例えば、腰の強い用紙が通紙されたときに、腰の強い用紙に対して第２分割ガイド板が付勢部材の付勢力に抗してレジストローラ対で撓みを形成できる方向に移動軸を中心に回動するので、腰の強い用紙の先端部が停止中のレジストローラ対に突き当たったときに撓みを良好に形成できる。
【００１２】
一方、従動ローラ側用紙搬送ガイド板の第１，第２分割ガイド板を開いたときに、第１，第２分割ガイド板が駆動ローラ側用紙搬送ガイド板から離間する方向に略逆く字状に屈曲するので、第１，第２分割ガイド板を周囲の構成部材に衝突することなく開くことができるために、ジャム用紙を用紙搬送装置の外側に安心して取り除くことができる。
【図面の簡単な説明】
【００１３】
【図１】本発明の実施例に係る用紙搬送装置を適用したインクジェット印刷装置の全体構成を示した構成図である。
【図２】本発明の実施例に係る用紙搬送装置を示した斜視図であり、且つ、駆動ローラ側用紙搬送ガイド板に対して開閉可能な従動ローラ側用紙搬送ガイド板が閉じた状態を示した図である。
【図３】（ａ）〜（ｈ）は本発明の実施例に係る用紙搬送装置において、駆動ローラ側用紙搬送ガイド板に対して従動ローラ側用紙搬送ガイド板が閉じた状態をそれぞれ平面的に示した図である。
【図４】図２及び図３に示した駆動ローラ側用紙搬送ガイド板を前面側から見て示した斜視図である。
【図５】図２及び図３に示した駆動ローラ側用紙搬送ガイド板を後面側から見て示した斜視図である。
【図６】図２及び図３に示した従動ローラ側用紙搬送ガイド板を前面側から見て示した斜視図である。
【図７】（ａ）〜（ｃ）は本発明の実施例に係る用紙搬送装置において、第１〜第３使用形態を右側面側から見て模式的に示した図である。
【図８】本発明の実施例に係る用紙搬送装置において、駆動ローラ側用紙搬送ガイド板に対して開閉可能な従動ローラ側用紙搬送ガイド板が開いた状態を示した斜視図である。
【図９】（ａ）〜（ｈ）は本発明の実施例に係る用紙搬送装置において、駆動ローラ側用紙搬送ガイド板に対して従動ローラ側用紙搬送ガイド板が開いた状態をそれぞれ平面的に示した図である。
【発明を実施するための形態】
【００１４】
以下に本発明に係る用紙搬送装置を実施する形態につき、図１〜図９を参照して詳細に説明する。
【００１５】
本発明に係る用紙搬送装置は、用紙に画像や文字を印刷する印刷装置や、用紙に画像や文字を複写する複写機などの画像形成装置に適用されている。
【００１６】
また、本発明に係る用紙搬送装置は、画像形成装置内の用紙搬送路中に回転/停止可能に設けられて用紙の斜行を補正するレジストローラ対よりも用紙搬送方向の上流側に設置されている。
【００１７】
また、本発明に係る用紙搬送装置では、用紙搬送路に沿って駆動ローラ側に位置する用紙搬送ガイド板（駆動ローラ側の用紙搬送ガイド板）と、従動ローラ側に位置する用紙搬送ガイド板（従動ローラ側の用紙搬送ガイド板）とを互いに対向して設け、且つ、駆動ローラ側用紙搬送ガイド板を固定設置する一方、従動ローラ側用紙搬送ガイド板は用紙搬送方向の上流側に位置する第１分割ガイド板と下流側に位置する第２分割ガイド板とが用紙幅方向に設定した分割線に沿って２分割された上で、第１，第２分割ガイド板が駆動ローラ側用紙搬送ガイド板に対して開閉可能に設けられている。
【００１８】
そして、従動ローラ側用紙搬送ガイド板の第１，第２分割ガイド板を開いたときに、第１，第２分割ガイド板が駆動ローラ側用紙搬送ガイド板から離間する方向に略逆く字状に屈曲することで、ジャム用紙を容易に取り除くことができ、一方、従動ローラ側用紙搬送ガイド板の第１，第２分割ガイド板を閉じたときに、例えば、腰の強い用紙の搬送方向の先端部が停止中のレジストローラ対に突き当たっても撓みを良好に形成できるように構成されている。
【００１９】
ここで、本発明の実施例に係る用紙搬送装置を説明する前に、この実施例の用紙搬送装置を適用した画像形成装置の一例としてインクジェット印刷装置について、図１を用いて説明する。
【００２０】
図１は本発明の実施例に係る用紙搬送装置を適用したインクジェット印刷装置を示している。
【００２１】
図１に示す如く、インクジェット印刷装置１は、用紙Ｐ上にインクジェット方式により片面印刷又は両面印刷可能になっており、このインクジェット印刷装置全体を操作する操作パネル部１０と、用紙Ｐを１枚ずつ給紙する給紙部２０と、給紙部２０よりも用紙搬送方向の下流側に設置したベルトプラテン部３０と、ベルトプラテン部３０と対向して複数色のインクＩＫを吐出する複数のライン型インクジェットヘッド４１が設置された印刷部４０と、印刷部４０で印刷された印刷済みの用紙Ｐを排紙する排紙部５０と、両面印刷するための循環用搬送路ＪＲと、後述するレジストローラ対２７よりも用紙搬送方向の上流側で循環用搬送路ＪＲの第２縦搬送路ＪＲ４に沿って設置された実施例の用紙搬送装置６０と、インクジェット印刷装置全体を制御する制御部９０とで構成されている。
【００２２】
また、インクジェット印刷装置１内で用紙Ｐを一定の速度で搬送する用紙搬送路は、給紙部２０からベルトプラテン部３０及び印刷部４０に向かう給紙用搬送路ＫＲと、ベルトプラテン部３０及び印刷部４０に沿った印刷用搬送路ＩＲと、ベルトプラテン部３０及び印刷部４０から排紙部５０に向かう排紙用搬送路ＨＲと、給紙部２０と排紙部５０との間に設置され且つ用紙Ｐへの両面印刷を行うために片面印刷済みの用紙Ｐをベルトプラテン部３０の下方に沿わせて搬送した後にレジストローラ対２７を経て再び印刷用搬送路ＩＲに向けて循環させる循環用搬送路ＪＲとからなっている。
【００２３】
この際、上記した循環用搬送路ＪＲは、片面印刷済みの用紙Ｐをベルトプラテン部３０側の下方に向かって搬送させる第１縦搬送路ＪＲ１と、片面印刷済みの用紙Ｐをスイッチバックしてこの用紙Ｐの先頭を先端部から後端部に変更するように搬送するスイッチバック搬送路ＪＲ２と、スイッチバックした片面印刷済みの用紙Ｐの表裏を反転させてベルトプラテン部３０の下方に沿いながら用紙搬送方向の上流側に向かって略水平に搬送させる水平搬送路ＪＲ３と、水平搬送路ＪＲ３から送られて表裏が反転した片面印刷済みの用紙Ｐを上方に向けながら後述するレジストローラ対２７まで搬送する第２縦搬送路ＪＲ４とがこの順に連接されている。
【００２４】
また、用紙搬送路には、用紙Ｐを一定の速度で搬送する用紙搬送ローラ対Ｒが、用紙サイズが異なる複数種の用紙Ｐのうちで最小サイズの用紙を搬送できるように間隔を隔てて複数設置されている。この際、各用紙搬送ローラ対Ｒは、駆動源となるギアードモータＭと連結されて回転する駆動ローラＲ１と、この駆動ローラＲ１に圧接して従動する従動ローラＲ２とで対をなしている。
【００２５】
また、用紙搬送路には、用紙Ｐの通過を検出する複数の用紙センサＳが適宜な位置に設置されており、複数の用紙センサＳは光反射型センサ又は光透過センサを用いて一定の速度で搬送される用紙Ｐがそれぞれのセンサ位置で予め設定した時間に到達しない場合に用紙ジャムが生じたことを制御部９０により検出できるようになっている。
【００２６】
更に、排紙用搬送路ＨＲと循環用搬送路ＪＲ中の第１縦搬送路ＪＲ１との間、及び、循環用搬送路ＪＲ中の第１縦搬送路ＪＲ１とスイッチバック搬送路ＪＲ２との間には、用紙Ｐの搬送方向を切り替えるためのフリッパＦがそれぞれ回動自在に設置されている。
【００２７】
ここで、インクジェット印刷装置１の各部について順を追って具体的に説明すると、このインクジェット印刷装置１の外観を形成する筐体２は箱状に形成されている。
【００２８】
まず、上記した操作パネル部１０は、筐体２の上面２ａに設置されており、ここでの詳細な図示を省略するが、片面／両面印刷選択キー、スタートキー、ストップキー、テンキー、印刷枚数設定キー、アラーム表示部、液晶パネルなどが設けられている。
【００２９】
次に、上記した給紙部２０は、給紙台２１が第１ギアードモータ２２により筐体２の左側板２ｂの外側に沿って上下動可能に設置されている。
【００３０】
また、給紙台２１上には、最小サイズ（例えば、葉書サイズ）から最大サイズ（例えば、Ａ３サイズ）までの複数種の用紙Ｐのうちで１種類の用紙Ｐが積載されており、１種類の用紙Ｐの用紙サイズは給紙台２１内で不図示の用紙サイズ検出手段により自動的に検出されている。
【００３１】
そして、給紙台２１が上動して、給紙台２１上に積載した未印刷の用紙Ｐのうちで最上層の用紙Ｐが給紙位置に至ったときに、この最上層の用紙Ｐに給紙ローラ２３が回転しながら圧接してこの用紙Ｐを給紙している。
【００３２】
この後、給紙された用紙Ｐは、給紙ローラ２３よりも下流に設けた捌きローラ２４と、捌き板２５との間で挟持搬送される際に１枚ずつに分離される。
【００３３】
この際、給紙ローラ２３及び捌きローラ２４は、同一の駆動源となる第２ギアードモータ２６によりそれぞれ時計方向に回転駆動されている。
【００３４】
更に、給紙された用紙Ｐの搬送方向の下流側には、この用紙Ｐの斜行を補正するレジストローラ対２７が回転／停止可能に設置されている。ここで、給紙された用紙Ｐの搬送方向の先端部は、回転停止中のレジストローラ対２７に突き当たって点線で示した撓み（ループ）Ｌが形成されて、この撓み（ループ）Ｌにより用紙Ｐの先端位置がレジストローラ対２７に対して揃うようになる。
【００３５】
その後、レジストローラ対２７が回転を開始することにより、このレジストローラ対２７で用紙Ｐの斜行が補正され且つ用紙Ｐの搬送タイミングが調整されながらこの用紙Ｐがベルトプラテン部３０及び印刷部４０に向けて搬送されるようになっている。
【００３６】
そして、上記した給紙ローラ２３と、捌きローラ２４と、捌き板２５とが給紙台２１上に積層された用紙Ｐを１枚ずつ給紙する１次給紙手段となり、一方、上記したレジストローラ対２７が１次給紙手段で給紙した用紙Ｐに対して斜行を補正し且つ搬送タイミングを調整してこの用紙Ｐを下流に向けて搬送する２次給紙手段となっている。
【００３７】
次に、上記したベルトプラテン部３０は、昇降機構部３１によって昇降可能な枠３２内に複数のエアー吸引孔（図示せず）を有して帯状に形成されたベルトプラテン３３が第３ギアードモータ３４により一定の搬送速度で回転駆動される駆動プーリ３５と従動プーリ３６との間に中間プーリ３７を介してエンドレスに掛け渡されており、ベルトプラテン３３上に搬送された用紙Ｐをエアー吸引部３８で吸引搭載しながら矢印方向に搬送している。
【００３８】
尚、昇降機構部３１によって枠３２ごと昇降させる理由は、後述する印刷部４０内に設けた複数のライン型インクジェットヘッド４１をクリーニングするための不図示のヘッドクリーニング機構をヘッド４１の下方に進退させるためである。
【００３９】
次に、上記した印刷部４０は、筐体２内の略中央部位に位置してベルトプラテン部３０の上方に設けられており、用紙Ｐへの印刷時にはベルトプラテン部３０と僅かに間隔を離して対向している。
【００４０】
この印刷部４０では、複数色のインクＩＫと対応して複数のライン型インクジェットヘッド４１が用紙Ｐの搬送方向の上流側から下流側に向かってＣ（シアン）用，Ｋ（ブラック）用，Ｍ（マゼンタ）用，Ｙ（イエロー）用の順に固定設置されている。
【００４１】
尚、ここでは、用紙Ｐ上にカラー印刷するために４色（ＣＫＭＹ）のインクＩＫに対応して４つのライン型インクジェットヘッド４１を設置した例を図示しているが、例えば文字だけを印刷する場合には１色（Ｋ）用だけで良いので、ライン型インクジェットヘッド４１は少なくとも一つ以上設置すれば良いものである。
【００４２】
そして、用紙Ｐをエアー吸引によりベルトプラテン３３上に固定した状態でベルトプラテン３３の回転より用紙Ｐを矢印方向に搬送しながら複数のライン型インクジェットヘッド４１により用紙Ｐ上にカラー画像を印刷している。
【００４３】
この際、用紙Ｐ上にカラー画像を片面印刷する場合には、用紙Ｐに対して印刷用搬送路ＩＲを１回通して下記する排紙部５０に排紙している。一方、用紙Ｐ上にカラー画像を両面印刷する場合には、循環用搬送路ＪＲを介して印刷用搬送路ＩＲを計２回通して下記する排紙部５０に排紙している。
【００４４】
次に、上記した排紙部５０は、ベルトプラテン部３０及び印刷部４０よりも下流で筐体２の右側板２ｃ側に設けられている。この排紙部５０では片面印刷済み又は両面印刷済みの用紙Ｐを排紙ローラ対５１を介して排紙台５２上に排紙している。
【００４５】
次に、インクジェット印刷装置全体を制御する制御部９０は、筐体２内の適宜な位置に設置されている。この制御部９０は、演算処理や判断処理するＣＰＵ９０ａと、インクジェット印刷装置１の動作プログラムなどを格納したＲＯＭ９０ｂと、インクジェット印刷装置１内で変更可能な各種の情報などを一時的に記憶するＲＡＭ９０ｃと、用紙Ｐが各用紙センサＳを通過する時間を計測するタイマ９０ｄとを内部に有している。
【実施例】
【００４６】
ここで、本発明の実施例に係る用紙搬送装置６０の構成について、先に示した図１と、新たな図２〜図６とを用いて説明する。
【００４７】
図２は本発明の実施例に係る用紙搬送装置を斜視的に示しており、且つ、駆動ローラ側用紙搬送ガイド板に対して開閉可能な従動ローラ側用紙搬送ガイド板が閉じた状態を示している。また、図３（ａ）〜（ｈ）は本発明の実施例に係る用紙搬送装置において、駆動ローラ側用紙搬送ガイド板に対して従動ローラ側用紙搬送ガイド板が閉じた状態をそれぞれ平面的に示している。また、図４，図５は駆動ローラ側用紙搬送ガイド板を前面側，後面側からそれぞれ見て斜視的に示している。また、図６は従動ローラ側用紙搬送ガイド板を前面側から見て斜視的に示している。
【００４８】
図１に示す如く、本発明の実施例に係る用紙搬送装置６０は、インクジェット印刷装置１内の用紙搬送路に沿って回転／停止可能に設けられたレジストローラ対２７よりも用紙搬送方向の上流側で、例えば、循環用搬送路ＪＲ中の第２縦搬送路ＪＲ４に沿ってユニット化して設置されているが、これに限らず、レジストローラ対２７よりも用紙搬送方向の上流側の給紙用搬送路ＫＲに沿って設置することも可能である。
【００４９】
そして、循環用搬送路ＪＲ中の第２縦搬送路ＪＲ４には、前述したように、駆動源となるギアードモータＭに連結されて回転駆動する駆動ローラＲ１と、この駆動ローラＲ１に圧接して従動する従動ローラＲ２とを対にした用紙搬送ローラ対Ｒが設置されており、用紙搬送ローラ対Ｒの駆動ローラＲ１と従動ローラＲ２とで用紙Ｐをニップしながらレジストローラ対２７に向けて搬送するようになっている。
【００５０】
ここで、図１〜図３に示す如く、実施例の用紙搬送装置６０では、駆動ローラ側用紙搬送ガイド板（以下、簡略化して、駆動側用紙ガイド板と呼称する）７０が、循環用搬送路ＪＲ中の第２縦搬送路ＪＲ４に沿いながら用紙搬送ローラ対Ｒの駆動ローラＲ１側に不図示の固定部材を介して固定設置されている。
【００５１】
そして、駆動側用紙ガイド板７０は、用紙搬送ローラ対Ｒにより搬送される用紙Ｐの一方の面Ｐａをガイドするようになっている。
【００５２】
一方、従動ローラ側用紙搬送ガイド板（以下、簡略化して、従動側用紙ガイド板と呼称する）８０は、初期時又は用紙Ｐの搬送時に用紙Ｐを通紙できる程度の間隔を隔てて駆動側用紙ガイド板７０と対向しており、且つ、循環用搬送路ＪＲ中の第２縦搬送路ＪＲ４に沿いながら用紙搬送ローラ対Ｒの従動ローラＲ２側に開閉可能に設置されている。
【００５３】
上記した従動側用紙ガイド板８０は、用紙搬送方向の上流側に位置する第１分割ガイド板８１と、用紙搬送方向の下流側に位置する第２分割ガイド板８２とが用紙搬送方向と直交する用紙幅方向に設定した分割線Ｂ（図２のみ図示）に沿って２分割されており、且つ、第２分割ガイド板８２側がレジストローラ対２７に接近している。
【００５４】
この際、以下に記載する駆動側用紙ガイド板７０及び従動側用紙ガイド板８０において、用紙搬送方向の上流側の端部を上流端、用紙搬送方向の下流側の端部を下流端とそれぞれ呼称して以下説明する。
【００５５】
上記した第１分割ガイド板８１は、この上流端側が駆動側用紙ガイド板７０の上流端側に位置し、且つ、用紙幅方向の左右の側面８１ｃ，８１ｄの上流端から左右一対の軸８３Ｌ，（８３Ｒ…図示せず）が用紙幅方向に沿ってそれぞれ外側に向けて横設されているので、第１分割ガイド板８１は左右一対の軸８３Ｌ，（８３Ｒ）を中心にして回動可能になっている。
【００５６】
尚、第１分割ガイド板８１を回動可能に軸支する左右一対の軸８３Ｌ，（８３Ｒ）は、実施例の用紙搬送装置６０をユニット化するために後述するように駆動側用紙ガイド板７０側に支持されているが、これに限ることなく、用紙搬送装置６０をユニット化しない場合には装置６０内の不図示の固定部材に支持すれば良い。
【００５７】
更に、図２中において、第１分割ガイド板８１の前面８１ａとは反対側の後面８１ｂには、後述するボックス部８１ｅ１及び複数の補強リブ８１ｆが形成されている。
【００５８】
一方、上記した第２分割ガイド板８２は、この上流端側が第１分割ガイド板８１の下流端側に位置し、且つ、上流端側が第１分割ガイド板８１の下流端側に用紙幅方向に沿って支持されて第１分割ガイド板８１の回動に伴って一体に移動する長尺な移動軸８４に回動可能に軸支されている。
【００５９】
従って、従動側用紙ガイド板８０は、第１，第２分割ガイド板８１，８２を移動軸８４を介して連結した状態で駆動側用紙ガイド板７０に対して開閉可能に設けられている。
【００６０】
そして、第１，第２分割ガイド板８１，８２が閉じているときには、従動側用紙ガイド板８０の用紙搬送方向の長さは駆動側用紙ガイド板７０の用紙搬送方向の長さと略同じ程度に設定されて、用紙搬送ローラ対Ｒにより搬送される用紙Ｐの他方の面Ｐｂをガイドし、一方、第１，第２分割ガイド板８１，８２が開いているときには、後述するようにジャム用紙を取り除くために略逆く字状に屈曲するようになっている。
【００６１】
ここで、駆動側用紙ガイド板７０及び従動側用紙ガイド板８０について具体的に説明する。
【００６２】
まず、図４及び図５に示す如く、駆動側用紙ガイド板７０は、板金材を用いて用紙搬送方向の長さが短尺に形成され、且つ、用紙幅方向の幅寸法は長尺に形成されており、更に、前面７０ａが長方形状の平坦面に形成されていると共に、前面７０ａの上下左右が後面７０ｂ側に向かって折り曲げ形成されている。
【００６３】
また、駆動側用紙ガイド板７０の後面７０ｂ側で且つ用紙幅方向の左右に対称に折り曲げ形成した左右一対の側面７０ｃ，７０ｄ間には、ギアードモータＭによって回転駆動する長尺な回転軸７１が軸支されている。
【００６４】
そして、長尺な回転軸７１には、用紙搬送ローラ対Ｒの駆動ローラＲ１が用紙幅方向の中心線を中心にして左右対称に１個ずつ固着されており、且つ、各駆動ローラＲ１は、駆動側用紙ガイド板７０の前面７０ａ及び後面７０ｂ間に貫通して形成した各ローラ孔７０ｅ内に後面７０ｂ側から臨んで前面７０ａ側に僅かに突出している。
【００６５】
また、駆動側用紙ガイド板７０の後面７０ｂ側で且つ用紙幅方向の中心部には、ジャム用紙検出センサ７２が取り付けられており、このジャム用紙検出センサ７２は駆動側用紙ガイド板７０の前面７０ａ及び後面７０ｂ間に貫通して形成したセンサ孔７０ｆに臨んでいる。
【００６６】
上記したジャム用紙検出センサ７２は、通紙時に用紙サイズに応じた長さを有する用紙Ｐが予め設定した用紙通過時間内に通過するか否かを制御部９０（図１）内のタイマ９０ｄで計測し、用紙通過時間を越えても用紙Ｐがある場合に用紙ジャムが発生したと制御部９０が判断するので、このときに制御部９０を介して操作パネル部１０（図１）のアラーム表示部（図示せず）で用紙ジャムの発生を表示してユーザに警告している。
【００６７】
また、駆動側用紙ガイド板７０の前面７０ａ上で左右の下流端近傍には、左右一対の凸部７０ｇ１，７０ｇ２が用紙幅方向の中心線を中心にして左右対称で且つ最大サイズの用紙Ｐの通紙に対して影響しない位置に用紙搬送方向に沿って形成されており、且つ、左右一対の凸部７０ｇ１，７０ｇ２は用紙Ｐを通紙できる程度の高さで前方に向かって突出形成されている。
【００６８】
そして、上記した左右一対の凸部７０ｇ１，７０ｇ２には、従動側用紙ガイド板８０の第２分割ガイド板８２（図２，図６）が接離自在になっている。
【００６９】
また、駆動側用紙ガイド板７０の用紙幅方向の左右端側には、左右一対の係止孔７０ｈ１，７０ｈ２が用紙幅方向の中心線を中心にして左右対称で且つ最大サイズの用紙Ｐの通紙に対して影響しない位置に貫通して形成されており、且つ、左右一対の係止孔７０ｈ１，７０ｈ２には後述する従動側用紙ガイド板８０の左右に取り付けた左右一対の係止爪８６Ｌ，８６Ｒ（図５，図６）が進退自在になっている。
【００７０】
この際、左右一対の係止孔７０ｈ１，７０ｈ２内で上記した左右一対の係止爪８６Ｌ，８６Ｒが係止する上方部位には、各係止孔７０ｈ１，７０ｈ２内に生じたバリを避けるために摩擦係数の低い素材を用いて薄板状に形成した左右一対のカバー７３Ｌ，７３Ｒが駆動側用紙ガイド板７０の前後の面７０ａ，７０ｂに跨って折り曲げた状態で取り付けられており、左右一対の係止爪８６Ｌ，８６Ｒが左右一対の係止孔７０ｈ１，７０ｈ２内から左右一対のカバー７３Ｌ，７３Ｒにスムーズに係止又は係止解除できるようになっている。
【００７１】
更に、駆動側用紙ガイド板７０の前面７０ａ上で左右の上流端側には、左側のＬ字状ブラケット７４Ｌと、右側のＬ字状ブラケット７４Ｒとが用紙幅方向の中心線を中心にして略左右対称な位置に取り付けられており、且つ、左右のＬ字状ブラケット７４Ｌ，７４Ｒ中で互いに対向して前方に向かっており曲げ形成した折り曲げ片７４ａ，７４ｂに左右一対の軸孔７４ａ１，７４ｂ１が形成されて、これらの左右一対の軸孔７４ａ１，７４ｂ１内に従動側用紙ガイド板８０（図２）の第１分割ガイド板８１に取り付けた左右一対の軸８３Ｌ，（８３Ｒ）が嵌合されている。
【００７２】
更に、右側のＬ字状ブラケット７４Ｒに形成した折り曲げ片７４ｂの下方部位に、ストッパ片７４ｃが左側に向かって直角に折り曲げ形成されており、このストッパ片７４ｃは後述するよう従動側用紙ガイド板８０を開いたときに、第１分割ガイド板８１が駆動側用紙ガイド板７０に対して略直交した状態で保持されるようになっている。
【００７３】
次に、図６に示す如く、従動側用紙ガイド板８０は、前述したように、用紙搬送方向の上流側に位置する第１分割ガイド板８１と、用紙搬送方向の下流側でレジストローラ対２７（図１）に接近して位置する第２分割ガイド板８２とが用紙幅方向に設定した分割線Ｂ（図２）に沿って２分割されている。
【００７４】
そして、第１，第２分割ガイド板８１，８２が長尺な移動軸８４によって連結された状態で、駆動側用紙ガイド板７０（図４）の前面７０ａと対向する第１，第２分割ガイド板８１，８２の各前面８１ａ，８２ａは共に平坦面に形成されて閉じ状態のときに略同一平面となっている。
【００７５】
上記した第１分割ガイド板８１は、樹脂材を用いて用紙搬送方向の長さが駆動側用紙ガイド板７０（図４）よりも短尺に形成され、且つ、用紙幅方向の幅寸法は駆動側用紙ガイド板７０の幅寸法よりも少し幅狭いが長尺に形成されて、直方体に一体的に成形されている。
【００７６】
また、第１分割ガイド板８１は、駆動側用紙ガイド板７０の前面７０ａ（図４）と対向する前面８１ａが平坦面に形成されており、この前面８１ａ側に用紙搬送ローラ対Ｒの従動ローラＲ２を回転自在に収納するための有底孔８１ｅが用紙幅方向の中心線を中心にして左右対称に１個ずつ形成されている。
【００７７】
上記に伴って、第１分割ガイド板８１の後面８１ｂは、図２に示すように、上記した有底孔８１ｅと対応する部位がボックス部８１ｅ１で閉じられていると共に、後面８１ｂ側は複数の補強リブ８１ｆにより剛性を持たせて枠組みされている。
【００７８】
この際、従動ローラＲ２は有底孔８１ｅ内に回転自在に収納した不図示のバネによって駆動ローラＲ１（図４）側に付勢されている。
【００７９】
図６に戻り、第１分割ガイド板８１の前面８１ａ側で左右の側面８１ｃ，（８１ｄ…図示せず）の近傍には、左右一対の凸部（８１ｇ１…図示せず），８１ｇ２が用紙幅方向の中心線を中心にして左右対称で且つ最大サイズの用紙Ｐの通紙に対して影響しない位置に形成されており、且つ、左右一対の凸部（８１ｇ１），８１ｇ２は用紙Ｐを通紙できる程度の高さで前方に向かって突出形成されている。
【００８０】
そして、上記した左右一対の凸部（８１ｇ１），８１ｇ２には、駆動側用紙ガイド板７０（図４）の前面７０ａが接離自在になっている。
【００８１】
更に、第１分割ガイド板８１の左右の側面８１ｃ，（８１ｄ…図示せず）側で左右一対の凸部（８１ｇ１），８１ｇ２の後ろ側には、左右一対のストッパ（８１ｈ１），８１ｈ２が図３（ｈ），図９（ｈ）に示すように所定の角度の傾斜を持って形成されている。
【００８２】
そして、従動側用紙ガイド板８０の第１，第２分割ガイド板８１，８２を開いたときに、後述するように第２分割ガイド板８２の左右の三角状の側面８１ｃ，（８１ｄ）が上記した左右一対のストッパ（８１ｈ１），８１ｈ２に当接するようになっている。
【００８３】
また、第１分割ガイド板８１の左右の側面８１ｃ，（８１ｄ）の上流端近傍には、前述したように、左右一対の軸８３Ｌ，８３Ｒがそれぞれ外側に向けて横設されており、これらの左右一対の軸８３Ｌ，８３Ｒは、駆動側用紙ガイド板７０（図４）に取り付けた左右のＬ字状ブラケット７４Ｌ，７４Ｒに回動自在に支持されている。
【００８４】
尚、この実施例では、第１分割ガイド板８１を樹脂材を用いて一体成形しているが、これに限ることなく、板金材を用いて前面８１ｂ側を長方形状に折り曲げ形成し、且つ、裏面８１ｂ側に樹脂材を用いて形成した従動ローラ収納用のボックス部（図示せず）を取り付けても良い。
【００８５】
一方、上記した第２分割ガイド板８２は、用紙搬送方向の長さが第１分割ガイド板８１よりも短尺に形成され、且つ、用紙幅方向の幅寸法は第１分割ガイド板８１の幅寸法と略同じ程度に長尺に形成されて、軽量なフラッパとして成形されている。従って、第２分割ガイド板８２を軽量化するために、この第２分割ガイド板８２には従動ローラＲ２が設けられていない。
【００８６】
また、第２分割ガイド板８２は、駆動側用紙ガイド板７０の前面７０ａ（図４）と対向する前面８２ａが平坦面に形成されており、この前面８２ａの下流端側が後面８２ｂ側に向かって僅かに折り曲げ形成され、且つ、前面８２ａの左右端に左右の側面８２ｃ，８２ｄが三角形状に折り曲げ形成されている。
【００８７】
また、第１，第２分割ガイド板８１，８２を連結する長尺な移動軸８４は、第１，第２分割ガイド板８１，８２の各左側面８１ｃ，８２ｃの外側では長く延出され、一方、第１，第２分割ガイド板８１，８２の各右側面（８１ｄ），８２ｄの外側では短く延出されている。
【００８８】
また、第２分割ガイド板８２の右側面８２ｄの外側に延出された移動軸８４には、図３（ｈ），図７（ａ）〜（ｃ），図９（ｈ）にも示す如く、用紙Ｐの腰の強さに応じて変位可能なネジリバネ８５が嵌め込まれており、このネジリバネ８５の一端及び他端は第１，第２分割ガイド板８１，８２に掛止されて、第２分割ガイド板８２を閉じ方向に付勢している。この際、上記したネジリバネ８５のバネ定数は、用紙Ｐの腰の強さに応じてレジストローラ対２７（図１）に対して良好な撓みＬを形成できる値に実験により予め設定されている。
【００８９】
また、第２分割ガイド板８２の左側面８２ｃの外側に延出された移動軸８４上と、第２分割ガイド板８２の右側面８２ｄに延出された移動軸８４上でネジリバネ８５よりも外側とに、左右一対の係止爪８６Ｌ，８６Ｒが各係止部８６ａを上方に向けて位相を合わせて取り付けられており、これらの左右一対の係止爪８６Ｌ，８６Ｒは駆動側用紙ガイド板７０に形成した左右一対の係止孔７０ｈ１，７０ｈ２（図４）内に進退可能になっている。
【００９０】
更に、また、第２分割ガイド板８２の左側面８２ｃの外側に延出された移動軸８４上で左側の係止爪８６Ｌよりも外側に係止／係止解除レバー８７が取り付けられており、この係止／係止解除レバー８７はユーザの人手で操作することにより左右一対の係止爪８６Ｌ，８６Ｒの駆動側用紙ガイド板７０（図２，図４）への係止又は係止解除ができるようになっている。
【００９１】
ここで、上記のように構成した実施例の用紙搬送装置６０の使用形態について、先に示した図２及び図６と、新たな図７〜図９を用いて説明する。
【００９２】
図７（ａ）〜（ｃ）は本発明の実施例に係る用紙搬送装置において、第１〜第３使用形態を右側面側から見て模式的に示している。また、図８は本発明の実施例に係る用紙搬送装置において、駆動ローラ側用紙搬送ガイド板に対して開閉可能な従動ローラ側用紙搬送ガイド板が開いた状態を斜視的に示している。また、図９（ａ）〜（ｈ）は本発明の実施例に係る用紙搬送装置において、駆動ローラ側用紙搬送ガイド板に対して従動ローラ側用紙搬送ガイド板が開いた状態をそれぞれ平面的に示している。
【００９３】
図７（ａ）〜（ｃ）に示す如く、本発明の実施例に係る用紙搬送装置６０では、３通りの使用形態（第１〜第３の使用形態）がある。
【００９４】
まず、図２及び図７（ａ）に示す如く、第１の使用形態は、実施例１の用紙搬送装置６０が初期状態に至っている初期時、又は、実施例１の用紙搬送装置６０内で腰の弱い薄紙などの用紙Ｐを搬送するときの通紙時に対応している。
【００９５】
この第１の使用形態では、駆動側用紙ガイド板７０に対して、従動側用紙ガイド板８０の第１，第２分割ガイド板８１，８２が共に閉じて、駆動側用紙ガイド板７０と従動側用紙ガイド板８０とが互いに対向して略平行な姿勢を維持している。
【００９６】
そして、第１，第２分割ガイド板８１，８２を連結する長尺な移動軸８４の左右に取り付けた左右一対の係止爪８６Ｌ，８６Ｒが、駆動側用紙ガイド板７０に形成した左右一対の係止孔７０ｈ１，７０ｈ２内に進入して係止されているので、従動側用紙ガイド板８０は駆動側用紙ガイド板７０に係止されている。
【００９７】
また、駆動側用紙ガイド板７０の前面７０ａと、第１，第２分割ガイド板８１，８２の各前面８１ａ，８２ａとが、駆動側用紙ガイド板７０に形成した左右一対の凸部７０ｇ１，７０ｇ２（図４）及び第１分割ガイド板８１に形成した左右一対の凸部（８１ｇ１），８１ｇ２（図６）により用紙Ｐを通紙できる程度の間隔を隔てて対向していると共に、軽量化された第２分割ガイド板８２は移動軸８４の右端側に嵌め込んだネジリバネ８５の付勢力により閉じ方向に付勢されている。この際、ネジリバネ８５は、前述したように、用紙Ｐの腰の強さに応じて変位可能である。
【００９８】
この時に、駆動側用紙ガイド板７０と、従動側用紙ガイド板８０との間に腰の弱い薄紙などの用紙Ｐが搬送されても、ネジリバネ８５の付勢力は腰の弱い用紙Ｐに対して打ち勝つので、第２分割ガイド板８２がネジリバネ８５の付勢力により閉じており、この状態で腰の弱い用紙Ｐの搬送方向の先端部が停止中のレジストローラ対２７に突き当たった時に撓みＬを良好に形成することができる。
【００９９】
次に、図７（ｂ）に示す如く、第２の使用形態は、実施例１の用紙搬送装置６０内で腰の強い厚紙などの用紙Ｐを搬送するときの通紙時に対応している。
【０１００】
この第２の使用形態でも、第１の使用形態と同様に、駆動側用紙ガイド板７０に対して、従動側用紙ガイド板８０の第１，第２分割ガイド板８１，８２が共に閉じられているが、第１の使用形態とは異なって、用紙Ｐの腰の強さに応じて変位可能なネジリバネ８５によって閉じ方向に付勢されている第２分割ガイド板８２が軽く形成されているので、用紙Ｐの腰の強さによってネジリバネ８５の付勢力に抗して移動軸８４を中心にして閉じ方向とは反対方向に回動する。
【０１０１】
この際、第２分割ガイド板８２が第１の使用形態のように駆動側用紙ガイド板７０と略平行に閉じたままであると、腰の強い厚紙などの用紙Ｐの搬送方向の先端部は回転停止中のレジストローラ対２７に突き当たったときに良好な撓みＬができにくいが、この第２の使用形態では、用紙Ｐの腰の強さに応じて第２分割ガイド板８２のみが撓みＬを形成できる方向に逃げるので、腰の強い用紙Ｐの先端部が停止中のレジストローラ対２７に突き当たったときに撓みＬを良好に形成できる。
【０１０２】
次に、図７（ｃ）〜図９に示す如く、第３の使用形態は、実施例１の用紙搬送装置６０内で発生したジャム用紙ＰＪを取り除くジャム用紙除去時に対応している。
【０１０３】
この第３の使用形態では、実施例１の用紙搬送装置６０内の駆動側用紙ガイド板７０に取り付けたジャム用紙検出センサ７２（図４）でジャム用紙ＰＪが生じたことを検出したときに、ユーザが図６に示した係止／係止解除レバー８７を移動軸８４を中心にして係止解除方向に回転すると、移動軸８４に取り付けた左右一対の係止爪８６Ｌ，８６Ｒが駆動側用紙ガイド板７０に形成した左右一対の係止孔７０ｈ１，７０ｈ２内から退出して従動側用紙ガイド板８０の駆動側用紙ガイド板７０への係止が解除される。
【０１０４】
これにより、駆動側用紙ガイド板７０に対して、従動側用紙ガイド板８０の第１，第２分割ガイド板８１，８２が共に開いて、第１，第２分割ガイド板８１，８２は人手が挿入できるように駆動側用紙ガイド板７０から離間する方向に略逆く字状に屈曲した姿勢を維持している。
【０１０５】
この際、第１分割ガイド板８１は、自分自身の重量によって、左右の側面８１ｃ，８１ｄに取り付けた左右一対の軸８３Ｌ，８３Ｒが、駆動側用紙ガイド板７０に取り付けた左右のＬ字状ブラケット７４Ｌ，７４Ｒに形成した左右一対の軸孔７４ａ１，７４ｂ１（図４）を中心にして開き方向に回動する。
【０１０６】
そして、第１分割ガイド板８１の開き方向への回動により、この第１分割ガイド板８１の後面８１ｂが右側のＬ字状ブラケット７４Ｒの下方部位に形成したストッパ片７４ｃに当接するので、このストッパ片７４ｃによって第１分割ガイド板８１が駆動側用紙ガイド板７０に対して略直交した状態で保持される。
【０１０７】
更に、第２分割ガイド板８２は、移動軸８４の右端側に嵌め込んだネジリバネ８５の付勢力によって移動軸８４を中心にして閉じ方向に回動するも、第２分割ガイド板８２の左右の三角状の側面（８２ｃ），８２ｄが第１分割ガイド板８１の左右の側面（８１ｃ），８１ｄの各外側に形成した左右一対のストッパ（８１ｈ１），８１ｈ２に当接するので、この当接した状態で回動が規制されて、これらの左右一対のストッパ（８１ｈ１），８１ｈ２によって第２分割ガイド板８２は駆動側用紙ガイド板７０の前面７０ａに対して略１２０°程度傾いた姿勢で保持される。
【０１０８】
この際、実施例の用紙搬送装置６０内で発生したジャム用紙ＰＪを除去するにあたって、用紙搬送装置６０の右方には昇降可能なベルトプラテン部３０（図１）が設置されているので、従動側用紙ガイド板８０が分割されずに直線状に開いた場合に、従動側用紙ガイド板８０が昇降可能なベルトプラテン部３０に衝突してしまうが、この第３の使用形態では従動側用紙ガイド板８０の第１，第２分割ガイド板８１，８２が略逆く字状に屈曲することにより昇降可能なベルトプラテン部３０に衝突することなく開くことができるために、ジャム用紙ＰＪを用紙搬送装置６０の外側に安心して取り除くことができる。
【符号の説明】
【０１０９】
１…インクジェット印刷装置、２…筐体、
１０…操作パネル部、２０…給紙部、２１…給紙台、２３…給紙ローラ、
２４…捌きローラ、２５…捌き板、２７…レジストローラ対、
３０…ベルトプラテン部、３３…ベルトプラテン、
４０…印刷部、４１…インクジェットヘッド、
５０…排紙部、５１…排紙ローラ対、５２…排紙台、
６０…実施例の用紙搬送装置、
７０…駆動ローラ側用紙搬送ガイド板（駆動側用紙ガイド板）、
７０ａ…前面、７０ｂ…後面、７０ｃ，７０ｄ…左右一対の側面、
７０ｅ…ローラ孔、７０ｆ…センサ孔、７０ｇ１，７０ｇ２…左右一対の凸部、
７０ｈ１，７０ｈ２…左右一対の係止孔、
７１…回転軸、７２…ジャム用紙検出センサ、７３Ｌ，７３Ｒ…左右一対のカバー、
７４Ｌ，７４Ｒ…左右のＬ字状ブラケット、７４ａ，７４ｂ…折り曲げ片、
７４ａ１，７４ｂ１…左右一対の軸孔、７４ｃ…ストッパ片、
８０…従動ローラ側用紙搬送ガイド板（従動側用紙ガイド板）、
８１…第１分割ガイド板、８１ａ…前面、８１ｂ…後面、
８１ｃ，８１ｄ…左右の側面、８１ｅ…有底孔、８１ｅ１…ボックス部、
８１ｆ…補強リブ、８１ｇ１，８１ｇ２…左右一対の凸部、
８１ｈ１，８１ｈ２…左右一対のストッパ、
８２…第２分割ガイド板、８２ａ…前面、８２ｂ…後面、
８２ｃ，８２ｄ…左右の側面、
８３Ｌ，８３Ｒ…左右一対の軸、８４…移動軸、８５…ネジリバネ、
８６Ｌ，８６Ｒ…左右一対の係止爪、８７…係止／係止解除レバー、
９０…制御部、
ＫＲ…給紙用搬送路、ＩＲ…印刷用搬送路、ＨＲ…排紙用搬送路、
ＪＲ…循環用搬送路、ＪＲ１…第１縦搬送路、ＪＲ２…スイッチバック搬送路、
ＪＲ３…水平搬送路、ＪＲ４…第２縦搬送路、
Ｂ…分割線、Ｐ…用紙、Ｐａ…一方の面、Ｐｂ…他方の面、ＰＪ…ジャム用紙、
Ｒ…用紙搬送ローラ対、Ｒ１…駆動ローラ、Ｒ２…従動ローラ。
【図１】
2015059036.tif 000003
【図２】
2015059036.tif 000004
【図３】
2015059036.tif 000005
【図４】
2015059036.tif 000006
【図５】
2015059036.tif 000007
【図６】
2015059036.tif 000008
【図７】
2015059036.tif 000009
【図８】
2015059036.tif 000010
【図９】
2015059036.tif 000011